Podtech/llm-jp-corpus-v4-ja_patent huggingface dataset:
【手続補正書】
【提出日】平成26年8月5日(2014.8.5)
【手続補正１】
【補正対象書類名】特許請求の範囲
【補正対象項目名】全文
【補正方法】変更
【補正の内容】
【特許請求の範囲】
【請求項１】
それぞれ物質のボリュームを内部に含みかつ空のボリュームを内部に画定する複数のバイアルであって、それぞれが空のボリュームと外部のボリュームとの間でのガス交換を可能にするようにバイアルの開口部に部分的に挿入されたストッパーを有する複数のバイアルを、機能する凝縮器を含まない又は凝縮器が無効にされている装置である温度制御される環境に収納する工程と、
前記環境と各バイアルの空のボリュームの圧力を、第一の圧力レベルまで低下させるために、前記環境を減圧する工程と、
前記環境と各バイアルの空のボリュームの圧力を、第二の圧力レベルまで増加させるために、前記環境に不活性ガスを通気する工程と、
前記バイアルを、前記第二の圧力レベルの環境で所定の時間静止させる工程と、
少なくとも一回、前記減圧する工程と、前記通気する工程と、前記静止させる工程とを繰り返す工程と、
前記繰り返す工程の後に、各バイアルを密閉するために、各開口部に完全にストッパーを挿入する工程を含む準備方法。
【請求項２】
前記完全な挿入の前に、前記減圧する工程と前記通気する工程のみを一回繰り返す工程をさらに含む、又は
前記完全な挿入の後に、各バイアルにストッパーを維持するために、各バイアルをキャップでキャッピングする工程をさらに含む、請求項１に記載の方法。
【請求項３】
前記バイアルを、凍結乾燥装置に収納することを含む、請求項１又は２のいずれかに記載の方法。
【請求項４】
前記バイアルを、凍結乾燥装置の閉チャンバに収納することを含む、請求項３に記載の方法。
【請求項５】
前記減圧工程の前に、前記環境の温度を温度設定値に、又は温度設定値に近い温度に制御する工程をさらに含み、
随意に前記繰り返す工程は、前記制御する工程を繰り返すことを含む、請求項１乃至４のいずれかに記載の方法。
【請求項６】
前記温度設定値は、第一の温度設定値であり、前記通気する工程の後に、前記環境の温度を、第一の温度設定値と異なる第二の温度設定値に、又は第二の温度設定値に近い温度に制御する工程をさらに含み、
随意に、
前記第一の温度設定値は、約１０℃より低い温度であり、任意的には約８℃より低く、さらに任意的には約５℃の温度であることと、
前記第二の温度設定値は、約１７℃と約２６℃の間の温度であることと、
のうちの少なくとも一方である、請求項５に記載の方法。
【請求項７】
前記第一の温度設定値は、前記物質の氷点以下であり、
随意に前記第一の圧力レベルは、約０．０００１ｍｂａｒと約１０ｍｂａｒの間である、又は
前記温度設定値は、前記物質の氷点より高い温度であり、第一の圧力レベルは、約１０ｍｂａｒより高く、約５００ｍｂａｒより低い圧力であり、任意的には約１０ｍｂａｒと約３００ｍｂａｒの間にある、請求項６に記載の方法。
【請求項８】
第二の温度設定値で、又は第二の温度設定値に近い温度で、前記環境でバイアルを所定の別の時間静止させる工程をさらに含む、及び
随意に前記別の時間は、約１５から、約４５若しくは６０分の間であり、任意的には約２５から約３５分の間であり、さらに任意的には約３０分である、請求項６に記載の方法。
【請求項９】
前記第二の圧力レベルは、約８００ｍｂａｒと約１０００ｍｂａｒの間であり、任意的には約９００ｍｂａｒと９５０ｍｂａｒの間であることと、
前記収納工程を、大気圧で実行することと、
前記減圧する工程と、前記通気する工程と、前記静止させる工程とを前記繰り返す工程を、少なくとも２回実行し、任意的には前記減圧する工程と、前記通気する工程と、前記静止させる工程とを前記繰り返す工程を、少なくとも８回実行することと、
前記物質の溶解酸素含量を約０．４％以下まで低下させるために有効な回数で、前記繰り返す工程を実行することと、
前記空のボリュームの酸素ガス含量を約１％以下まで低下させるために有効な回数で、前記繰り返す工程を実行し、任意的には前記空のボリュームの酸素ガス含量を、約０．０１％から約０．６％の間まで低下させるために有効な回数で、前記繰り返す工程を実行することとの少なくとも１つを特徴とする、請求項１乃至８の何れかに記載の方法。
【請求項１０】
前記減圧する工程の前に、前記空のボリュームが実質的に大気中濃度である酸素ガスを含むことと、前記物質が実質的に大気中濃度である溶存酸素を含むことと、のうちの少なくとも一方である、又は
わずかな蒸発を除き、収納する工程と完全に挿入する工程との間に、液状の物質のボリュームを実質的に一定に維持する請求項１乃至９のいずれかに記載の方法。
【請求項１１】
前記所定の時間は約１５分から約４５分又は６０分の間であり、任意的には約２５分から約３５分の間である、請求項１乃至１０のいずれかに記載の方法。
【請求項１２】
前記液状の物質は、酸素感受性の溶液を含むことと、
前記液状の物質は、揮発性成分を含まない水溶液であることと、
前記液状の物質は、約１℃から約２６℃の温度範囲及び約１０ｍｂａｒから１０００ｍｂａｒの圧力範囲では安定であることの少なくとも１つを特徴とする、請求項１乃至１１のいずれかに記載の方法。
【請求項１３】
請求項１乃至１２のいずれかに記載の方法を実行するための、装置の使用。
【請求項１４】
バイアルであって、
ネック及びネックにより画定される一つの開口部を有する本体と、
部分的に開口部に受けられ、そして開口部を密閉させるストッパーと、
酸素感受性の製剤を含む、本体及びストッパーにより包含される物質と、
前記本体と、物質と、ストッパーにより画定される上部空間とを有し、
前記ストッパーは前記各バイアルの開口部に受けられる突出部を少なくとも一つを有し、前記突出部は少なくとも一つの間隙又は開き口を画定し、前記間隙又は開き口は、前記突出部が開口部に部分的に挿入された場合、前記上部空間と外部のボリュームとの間でのガス交換を可能にし、
前記物質は、液体状態又は凍った状態であり、及び前記上部空間の酸素ガス含量が約１％以下である、バイアル。
【請求項１５】
前記液状の物質は、揮発性成分を含まない水溶液であることと、
前記液状の物質は、約１℃から約２６℃の温度範囲及び約１０ｍｂａｒから１０００ｍｂａｒの圧力範囲では安定であることと、
前記上部空間の酸素ガス含量が約０．０１％から約０．６％の間であることと、
前記物質の溶存酸素含量が０．４％以下であることと、
前記ストッパーをネックにはめるためのキャップをさらに含むことと、
前記ストッパーが完全に開口部に挿入された場合、前記円盤状の上部は縁を覆い、少なくとも一つの間隙は完全に縁により塞がられ、従って空のボリュームと外部のボリュームの間のガス交換に対してバイアルは密閉されるように、ストッパー及びバイアルの本体が構成されていることの少なくとも１つを特徴とする、請求項１４に記載のバイアル。
【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
可撓性シャフトを備えたカテーテル装置と、
前記シャフトの先端に配置され、かつ、身体の標的血管内で展開するように構成可能であるバルーンと、
前記バルーンの壁によって支持された複数のアブレーション電極であって、前記アブレーション電極は、前記バルーンが展開形態にある場合に、標的血管の壁に近接した標的組織をアブレートするのに十分な電気エネルギーを与えるように構成されている、アブレーション電極と、
前記バルーンによって少なくとも部分的に包囲され、かつ、定常状態のアブレーション加熱が始まる位置が、標的血管壁における電極−組織界面から、前記界面から所定距離だけ離れた位置に移動するように、アブレーション中に少なくとも前記電極を冷却するように構成されている冷却装置と、を備える装置。
【請求項２】
前記冷却装置は、定常状態のアブレーション加熱が電極から少なくとも０．５ｍｍ離れた距離において始まるように、前記電極を冷却するように構成されている、請求項１に記載の装置。
【請求項３】
前記冷却装置は、定常状態のアブレーション加熱が電極から少なくとも０．５ｍｍ〜１ｍｍ離れた距離において始まるように、前記電極を冷却するように構成されている、請求項１に記載の装置。
【請求項４】
前記電極は、らせんパターンまたは１つ以上の周方向パターンを画定するようにバルーン壁上に構成されている、請求項１に記載の装置。
【請求項５】
前記アブレーション電極の各々は、腎動脈壁の一部を圧迫し、かつ、圧迫された腎動脈壁部分を介して電気エネルギーを与えるように機能する組織接触面を画定する隆起部を備える、請求項１に記載の装置。
【請求項６】
前記電極の各々は連続湾曲形状または複合湾曲形状を有する、請求項１に記載の装置。
【請求項７】
前記電極は前記シャフトに沿って延びる導電体配列に接続されている、請求項１に記載の装置。
【請求項８】
前記電極は前記バルーン内の導電性流体と、前記シャフトに沿って延び、かつ、前記導電性流体と電気的に導通している導電体とによってエネルギーを与えられる、請求項１に記載の装置。
【請求項９】
前記冷却装置は、
液体冷却媒体を受容し、冷凍相転移から生じる使用済み気体を排出するように構成された相転移冷凍装置、
冷却された液体冷却媒体を受容し、使用済み液体冷却媒体を排出するように構成された熱交換装置、および
１つ以上の固体熱電冷却デバイスのいずれかを備える、請求項１に記載の装置。
【請求項１０】
バルーン壁によって支持され、かつ、アブレーション中に腎動脈壁における温度または腎動脈に近接した温度を感知するように構成された１つ以上の温度センサーを備える、請求項１に記載の装置。
【請求項１１】
前記電極に隣接するバルーンの内壁の少なくとも一部は、アブレーション中に冷却装置と電極との間における熱エネルギー移動を高めるように構成された熱伝導性材料の層を備える、請求項１に記載の装置。
【請求項１２】
前記カテーテル装置は、ガイドワイヤを受容するような寸法に形成されたガイド管腔を備える、請求項１に記載の装置。
【請求項１３】
前記カテーテル装置の基端に接続された外部システムを備え、前記システムは、前記電極に与えられる電力および前記冷却装置に送達される冷却剤を制御するように構成されている、請求項１に記載の装置。
【請求項１４】
前記シャフトは、経皮的アクセス位置に関して、患者の腎動脈にアクセスするのに十分な長さを有し、かつ、
前記冷却装置は、定常状態のアブレーション加熱が始まる位置が、腎動脈壁における電極−組織界面から、前記界面から所定距離だけ離れた位置に移動するように、前記電極に隣接する血管周囲腎神経のアブレーション中に少なくとも前記電極を冷却するように構成されている、請求項１乃至１３のいずれか１項に記載の装置。
【請求項１５】
前記シャフトは基端、先端、長さ、および前記基端と先端との間に延びる管腔配列を有し、前記シャフトの長さは、経皮的アクセス位置に対して、患者の腎動脈にアクセスするのに十分であり、
前記バルーンは、腎動脈内において展開するための寸法に形成されており、かつ、小さな外形の導入形態と、より大きな外形の展開形態との間で変形可能であり、前記バルーンは前記管腔配列に流体が流れるように結合されており、かつ、展開形態にある場合に、腎動脈の壁と接触するように構成された壁を備え、
前記複数のアブレーション電極は、前記バルーンが展開形態にある場合に、腎動脈に隣接する血管周囲腎神経をアブレートするのに十分な電気エネルギーを与えるように構成されており、
前記冷却装置は、定常状態のアブレーション加熱が始まる位置が、腎動脈壁における電極−組織界面から、前記界面から所定距離だけ離れた位置に移動するように、アブレーション中に少なくとも前記電極を冷却するように構成されている、請求項１乃至１４のいずれか１項に記載の装置。
【手続補正２】
【補正対象書類名】明細書
【補正対象項目名】発明の名称
【補正方法】変更
【補正の内容】
【発明の名称】腎神経アブレーションのための装置
【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
マウスピースを有する一方、薬剤を収容するハウジングと、
分配システムと、
前記ハウジングに移動可能に取り付けられたカバーとを備えている吸入器であって、
前記カバーは、該吸入器を使用するために前記マウスピースが該吸入器外に露出される開かれた形態と、前記マウスピースが該吸入器内に収容される閉じられた形態との間を変化することができ、
前記の開かれた形態においては、前記カバーは、該吸入器を通り抜けるとともに前記マウスピースと連通する吸入空気流路への入口孔を少なくとも部分的に形成し、
前記の閉じられた形態においては、前記マウスピースは、前記入口孔内に収容されることを特徴とする吸入器。
【請求項２】
前記カバーが前記の開かれた形態にあるときには、前記入口孔が、前記ハウジングと前記カバーとの間に形成されることを特徴とする、請求項１に記載の吸入器。
【請求項３】
前記の閉じられた形態においては、前記入口孔が閉じられることを特徴とする、請求項１または２に記載の吸入器。
【請求項４】
前記の開かれた形態においては、前記入口孔が、前記マウスピースと隣り合って位置することを特徴とする、請求項１〜３のいずれか１つに記載の吸入器。
【請求項５】
背向する複数の主表面を備えた全体的に平坦な形状を有することを特徴とする、請求項１〜４のいずれか１つに記載の吸入器。
【請求項６】
前記の開かれた形態においては、前記マウスピースが前記主表面間から突出することを特徴とする、請求項５に記載の吸入器。
【請求項７】
前記入口孔が、前記主表面間において前記カバーの縁部に配置されていることを特徴とする、請求項５または６に記載の吸入器。
【請求項８】
前記の閉じられた形態においては、前記主表面が、全面的に前記カバーよって構成されることを特徴とする、請求項５〜７のいずれか１つに記載の吸入器。
【請求項９】
前記ハウジングが全体的にはディスクの形状を有し、前記マウスピースが前記ディスクの縁部から突出することを特徴とする、請求項１〜８のいずれか１つに記載の吸入器。
【請求項１０】
前記ハウジングが前記ディスクから突出するハンドル部を有し、これによりユーザが前記ハウジングを、前記カバーに対して移動させて、該吸入器の前記開かれた形態と前記閉じられた形態の間で変化させることを特徴とする、請求項９に記載の吸入器。
【請求項１１】
前記カバーが、前記ハウジングにピボット回転可能に取り付けられていることを特徴とする、請求項１〜１０のいずれか１つに記載の吸入器。
【請求項１２】
前記ハウジング内に少なくとも１つの表示孔が形成され、前記表示孔を通して前記ハウジング内の１つまたは複数の印をみることができることを特徴とする、請求項１〜１１のいずれか１つに記載の吸入器。
【請求項１３】
前記カバーが少なくとも１つの表示窓を形成し、前記表示窓は、前記の開かれた形態および閉じられた形態の一方または両方において、前記少なくとも１つの表示孔と一列に並び、これにより前記印をみることができることを特徴とする、請求項１２に記載の吸入器。
【請求項１４】
前記印が複数設けられ、前記カバーの前記表示窓のうちの１つが、それぞれ、該吸入器の前記の開かれた形態および閉じられた形態において前記表示孔のうちの個々の異なるものと一列に並び、これにより前記の開かれた形態および閉じられた形態において、それぞれ前記印のうちの個々のものをみることができることを特徴とする、請求項１３に記載の吸入器。
【請求項１５】
前記ハウジングが全体的にはディスクの形状を有し、前記表示孔のうちの最初の表示孔が前記ディスクの主表面に形成され、透明な膜が前記最初の表示孔の上を覆って広がり、前記主表面に結合されていることを特徴とする、請求項１２〜１４のいずれか１つに記載の吸入器。
【請求項１６】
前記ディスクの前記主表面が、前記表示孔に加えて、該主表面に形成された少なくとも１つの追加の孔を有し、前記少なくとも１つの追加の孔は、前記膜によって被覆されていることを特徴とする、請求項１５に記載の吸入器。
【請求項１７】
請求項１に記載の吸入器を用いて、活性成分を含有する薬剤を患者に投与することを特徴とする方法。
【手続補正書】
【提出日】平成26年3月19日(2014.3.19)
【手続補正１】
【補正対象書類名】特許請求の範囲
【補正対象項目名】全文
【補正方法】変更
【補正の内容】
【特許請求の範囲】
【請求項１】
発光装置と、
前記発光装置に付け可能であり、光を患者の表面へ伝達することを可能な光伝達使い捨て装置とを含み、
前記光伝達使い捨て装置は使用の後に前記発光装置から取り外し可能で、且つ、交換用の光伝達使い捨て装置と交換可能である、医療器具。
【請求項２】
前記光伝達使い捨て装置は皮膚表面へ薬を届けることができる薬配達層をさらに含み、前記光伝達使い捨て装置は装置が電子チップのように使用されたかどうか検知する検知手段をさらに含む、請求項１に記載の医療器具。
【請求項３】
前記医療器具は歩行用であり、患者の足、脚、トルソ、肩、腕、手、頭、または顔面に取付け可能であり、
前記光伝達使い捨て装置は使い捨ての、柔軟性および／またはしなやかさを有し、シートのような、柔軟性のある、実質的に平面状である、請求項１または２に記載の医療器具。
【請求項４】
前記光伝達使い捨て装置は前面および後面を有し、前面および後面の少なくとも一方あるいは両方に接着剤を含み、
前記光伝達使い捨て装置はアクリル接着剤を備えたポリエチレンシートから構成された粘着性のある薄いシートの形状であり、
前記光伝達使い捨て装置は透明(あるいは少なくとも、実質的に透明)であり、光が発光装置から発せられ、光伝達使い捨て装置(例えば粘着性のシート)を通して患者の皮膚の表面に伝達する、請求項１〜３のいずれかに記載の医療器具。
【請求項５】
前記光伝達使い捨て装置は、機械的手段、および／または接着剤のような化学的手段を用いて発光装置の下側に取付けられることが可能であり、
発光装置が患者を治療するために使用された後、光伝達使い捨て装置（例えば粘着性のシート)は前記発光装置の下側から取り除かれ（はがされ）て処分され、代わりの光伝達使い捨て装置（例えば、他の粘着性シート）が前記発光装置の下側に取付けられ、発光装置が再び使用可能になり、
前記光伝達使い捨て装置（例えば粘着性のシートあるいはゲルの短い円筒)が、前記光伝
達使い捨て装置の前面および後面の少なくとも一方または両方の上に選択的に接着剤を有する非透明層から構成され、光が皮膚表面に伝達され、光伝達使い捨て装置は光がそこを通って皮膚表面に伝達する透明窓、または、孔を含む、請求項１〜４のいずれかに記載の医療器具。
【請求項６】
前記光伝達使い捨て装置(例えば粘着性のシートあるいはゲルの短い円筒)は不透明な層および透明窓(あるいは孔)を含み、発光装置の下側に隣接した表面に部分的にのみ接着剤で覆われており、
前記光源(例えばLEDまたはOLED)からの光路は固体材料（例えばシリコンゲル）を通って皮膚の表面に至り、皮膚の表面は熱の消費を促進し、熱の蓄積を防ぎ、
前記光伝達使い捨て装置は曲面を有する体表面に一致することができる柔軟な使い捨ての透明な部分(例えば、シリコンゲルから作られる)と結合した剛性を有する発光体を含む、請求項１〜５のいずれかに記載の医療器具。
【請求項７】
光源(例えばLEDの配列)からの光は任意にチタニア・ナノ粒子を含んでもよい透明なゲル
層を使用して拡散され、
前記光伝達使い捨て装置は伝導性のある、蛍光および／または皮膚表面で治療を調節する酸素センサーを含む、請求項１〜６のいずれかに記載の医療器具。
【請求項８】
前記光伝達使い捨て装置は生体適合性のある材料で作られ、
前記光伝達使い捨て装置は、装置の異なる部品間のコミュニケーションを許可する、「賢い」使い捨ての頭(例えば電子チップおよび／または埋め込まれたセンサー)をさらに含む、請求項１〜７のいずれかに記載の医療器具。
【請求項９】
前記光伝達使い捨て装置は柔軟性のある材料から作られ、使い捨てが可能であり、
前記光伝達使い捨て装置は患者の皮膚表面に係合することが意図された光伝達使い捨て装置の表面に接着剤のみを含む、請求項１〜８のいずれかに記載の医療器具。
【請求項１０】
前記光伝達使い捨て装置は実質的に平面状で、形において実質的に環状で、それが付けられることを意図する発光装置の下側に設けられた対応する開口(例えば女性部分)で係合することが可能な複数の突起部(例えば男性特徴)を含むフレームに取付け可能であり、
前記光伝達使い捨て装置は、接着剤またはフレームから外に突出し、前記光伝達使い捨て装置の対応する開口を通って延在するポストを用いてフレームに取付けられる、請求項１〜９のいずれかに記載の医療器具。
【請求項１１】
前記フレームは少なくとも1つあるいは複数の多くの柔軟性を有するヒンジを含み、した
がって、例えば、患者の足、脚、トルソ、肩、腕、手、頭あるいは顔面のような人間または哺乳動物の身体の任意の部分上の非平面あるいは実質的に非平面か、曲面に適応、かつ／または一致させることが可能であり、
前記フレームは、フレームが、例えば、患者の足、脚、トルソ、肩、腕、手、頭あるいは顔面のような、人間または哺乳動物の身体の任意の部分上の非平面あるいは実質的に非平面か、曲面に適応かつ／または一致することを可能にする柔軟性のある材料から作られる、請求項１０に記載の医療器具。
【請求項１２】
前記光伝達使い捨て装置は、前記光伝達使い捨て装置(例えば粘着性のシート)に直接取り付けられた少なくとも1つ、あるいは複数の突出部材(例えばポスト)を含む、請求項１〜１１のいずれかに記載の医療器具。
【請求項１３】
前記医療器具は透明な薬および／または、患者の治療エリアへ薬および／または化学薬品を届けることができる化学ソースをさらに含む、請求項１〜１２のいずれかに記載の医療器具。
【請求項１４】
前記医療器具は歩行用の光源を備えた接着剤層をさらに含む、請求項１〜１３のいずれかに記載の医療器具。
【請求項１５】
分離されたクリーム/ローション/アクティブが、治療される患者に対して薬および／または化学ソースを供給するために適用される、請求項１４に記載の医療器具。
【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
溶媒のナノ濾過のための一体化したスキン層を有する非対称架橋ポリベンズイミダゾール膜を形成する方法であって、
（ａ）（ｉ）ポリベンズイミダゾールポリマーおよび（ｉｉ）前記ポリベンズイミダゾールのための水混和性溶媒系を含むポリベンズイミダゾールドープ溶液を調製するステップと、
（ｂ）前記ドープ溶液の膜を支持基材上で製膜するステップと、
（ｃ）蒸発時間の間、前記ドープ溶液を蒸発させ、次いで前記基材上に製膜された前記膜を凝固媒体中に浸漬するステップと、
（ｄ）得られた非対称膜を多官能性ハロゲン化アルキル、ジビニルスルホン、多官能性有機強酸のうち１種または複数を含む溶媒で処理するステップと、
（ｅ）前記非対称膜を調整剤で処理するステップと
を含む方法。
【請求項２】
前記ポリベンズイミダゾールポリマーが前記ドープ溶液の５〜３０重量％の量で存在する請求項１に記載の方法。
【請求項３】
前記多官能性ハロゲン化アルキルが、一官能性ハロゲン化アルキル、二官能性ハロゲン化アルキル、又は三官能性ハロゲン化アルキルである請求項１又は２に記載の方法。
【請求項４】
（ｆ）前記膜を乾燥するステップをさらに含み、
及び／又は任意に前記膜を約１５０℃以上に、好ましくは最大で３時間加熱するステップをさらに含む請求項１〜３のいずれか一項に記載の方法。
【請求項５】
前記ポリベンズイミダゾールが以下の式：
【化１】
2013532578.tif 000001
を有し、
前記ポリベンズイミダゾールドープ溶液が、Ｎ−メチル−２−ピロリドン、テトラヒドロフラン、Ｎ，Ｎ−ジメチルホルムアミド、ジメチルスルホキシド、Ｎ，Ｎ−ジメチルアセトアミド、１，４−ジオキサン、γ−ブチロラクトン、水、アルコール、ケトン、およびホルムアミドから選択された溶媒を含む請求項１〜４のいずれか一項に記載の方法。
【請求項６】
前記ポリベンズイミダゾールドープ溶液が、前記ドープ溶液の１０重量％までの量の増粘剤をさらに含み、
任意に前記ポリベンズイミダゾールドープ溶液が、ポリビニルピロリドン、ポリエチレングリコールおよびウレタンから選択された増粘剤をさらに含み、前記増粘剤が前記ポリベンズイミダゾールドープ溶液にその１０重量％以下の量で添加されており、
及び／又は任意に前記ポリベンズイミダゾールドープ溶液が、前記ポリベンズイミダゾールドープ溶液の５重量％以下の量で用いられる空孔抑制剤をさらに含む請求項１〜５のいずれか一項に記載の方法。
【請求項７】
前記ポリベンズイミダゾールドープ溶液が離散有機または無機マトリックスをさらに含み、前記離散有機または無機マトリックスが前記ポリベンズイミダゾールドープ溶液中にその２０重量％以下の量で分散しており、
任意に前記離散マトリックスの平均粒径が０．１ミクロン未満であり、
任意に前記離散マトリックスが最初に溶媒中に分散され、次いで前記ドープ溶液に添加されており、
任意に前記離散マトリックスを分散させるために用いられる溶媒が、蒸発によって前記ポリベンズイミダゾールドープ溶液から除去されている請求項１〜６のいずれか一項に記載の方法。
【請求項８】
前記架橋剤が、多官能性ハロゲン化アルキル、ジビニルスルホン、又は多官能性有機強酸から選択され、
任意に前記架橋剤が、ハロゲン化アルキル（ジブロモブタン、トリブロモプロパン、トリクロロプロパン、ペンタエリスリチルテトラブロミド、およびペンタエリスリチルテトラクロリド）、ジビニルスルホン、ペルフルオログルタル酸、ベンゼンヘキサカルボン酸、ベンゼンペンタカルボン酸、１，２，３，４−ベンゼンテトラカルボン酸、１，２，３，５−ベンゼンテトラカルボン酸、１，２，４，５−ベンゼンテトラカルボン酸、１，３，５−ベンゼントリカルボン酸、ジブロモコハク酸、ポリアクリル酸、１，４，５，８−ナフタレンテトラカルボン酸、２，６−ナフタレンジスルホン酸、アリールスルホン酸、アリールスルフィン酸、アリールホスフィン酸、またはアリールホスホン酸から選択され、
及び／又は任意に前記架橋剤が溶媒に溶解しており、
任意に前記架橋剤が、ケトン、エーテル、カルボン酸およびアルコールから選択された溶媒中に溶解している請求項１〜７のいずれか一項に記載の方法。
【請求項９】
前記ポリベンズイミダゾール膜を処理するために用いられる架橋剤の量は、前記架橋剤中の反応基と処理される前記膜中のポリベンズイミダゾールのアミン水素基とが０．０１〜１００の範囲となるように調整され、
任意に前記ポリベンズイミダゾール膜を処理するために用いられる架橋剤の量は、前記架橋剤中の反応基と処理される前記膜中のポリベンズイミダゾールのアミン水素基とが０．１〜１０の範囲となるように調整される請求項１〜８のいずれか一項に記載の方法。
【請求項１０】
架橋時間が０．１〜１２０時間の間から選択され、
及び／又は任意に架橋溶液の温度が２０〜１５０℃の間に保持される請求項１〜９のいずれか一項に記載の方法。
【請求項１１】
前記調整剤が不揮発性液体であり、
任意に前記調整剤が、合成油（ポリオレフィン油、シリコーン油、ポリアルファオレフィン油、ポリイソブチレン油、合成ワックス異性化油、エステル油およびアルキル芳香族油）、鉱油（溶媒精製油および水素化鉱油ならびに石油ワックス異性化油）、植物油脂、高級アルコール（デカノール、ドデカノール、ヘプタデカノール等）、グリセロール、およびグリコール（ポリプロピレングリコール、ポリエチレングリコール、ポリアルキレングリコール等）のうち１種または複数から選択される請求項１〜１０のいずれか一項に記載の方法。
【請求項１２】
得られる膜が、らせん巻き、プレートおよびフレーム、シェルおよびチューブ、またはそれらの派生デザインとして構成される請求項１〜１１のいずれか一項に記載の方法。
【請求項１３】
請求項１〜１２のいずれか一項に記載の方法によって得られる膜。
【請求項１４】
有機溶媒と溶解した溶質とを含む供給流溶液のナノ濾過のための請求項１３に記載の膜の使用であって、前記供給流が少なくとも１種の強塩基性または強酸性の溶媒を含む方法。
【請求項１５】
有機溶媒と溶解した溶質とを含む供給流溶液のナノ濾過用膜であって、この膜は、大気温度において前記溶質を選択的に阻止し、一体化したスキン層を有する非対称ポリベンズイミダゾール膜を含み、前記膜は、ナノ濾過に用いる前に前記膜の細孔構造を維持する調整剤が含浸されている膜。
【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
個人に対応する心拍間隔情報に基づいて、前記個人に対応するパラメータの個人特有の値を処理するためのプロセッサ手段
を具備する装置において、
前記個人特有の値は、第１の軸及び第２の軸を含む座標系上での前記心拍間隔情報の２次元表現に基づいた、第１及び第２の係数値の商に基づいており、
前記第１の係数値は、前記第１の軸の第１の軸間隔内の点に基づいており、前記第２の係数値は、前記第２の軸の第２の軸間隔内の点に基づいており、
前記個人特有の値は、少なくとも１つの医学的状態に対応した、少なくとも１つの予め規定された基準値に対して比較されるように構成されており、前記個人特有の値及び、前記基準値の間の関係は、前記医学的状態に罹患している前記個人のリスクを表すためのものである、装置。
【請求項２】
前記パラメータは、ｄｙ／ｄｘパラメータを含み、前記個人特有の値は、個人特有のｄｙ／ｄｘ表示値を含み、前記基準値は、基準ｄｙ／ｄｘ値を含む、請求項１記載の装置。
【請求項３】
前記第１及び第２の係数のうちの１つの係数はｄｘ係数を含み、前記第１及び第２の係数のうちのもう１つの係数はｄｙ係数を含み、前記ｄｘ係数は、デカルト座標系のｘ軸に対応し、前記ｄｙ係数は、デカルト座標系のｙ軸に対応する、請求項２記載の装置。
【請求項４】
前記ｄｘ係数は、前記第１の軸間隔内の第１の数の点に基づいており、前記第１の軸間隔は、前記ｘ軸に沿った、他の軸間隔に比して、最大数の点を有している前記ｘ軸に沿った間隔を含み、前記ｄｙ係数は、前記第２の軸間隔内の第２の数の点に基づいており、前記第２の軸間隔は、前記ｙ軸に沿った、他の軸間隔に比して、最大数の点を有している前記ｙ軸に沿った間隔を含む、請求項３記載の装置。
【請求項５】
前記基準ｄｙ／ｄｘ値は、２．３より小さい、請求項３または４記載の装置。
【請求項６】
前記基準ｄｙ／ｄｘ値は、前記医学的状態を診断するために、前記個人特有のｄｙ／ｄｘ表示値に比較されるように構成された診断ｄｙ／ｄｘ値を含む、請求項３ないし５のいずれか１項記載の装置。
【請求項７】
前記基準ｄｙ／ｄｘ値は、前記医学的状態の予後を提供するために、前記個人特有のｄｙ／ｄｘ表示値に比較されるように構成された予後ｄｙ／ｄｘ値を含む、請求項３ないし５のいずれか１項記載の装置。
【請求項８】
前記個人特有の値は、前記第１及び第２の係数値の前記商に等しい、請求項１ないし７のいずれか１項記載の装置。
【請求項９】
前記医学的状態は、自律神経系により影響される医学的状態を含む、請求項１ないし８のいずれか１項記載の装置。
【請求項１０】
前記医学的状態は、心臓の状態を含む、請求項１ないし９のいずれか１項記載の装置。
【請求項１１】
前記医学的状態は、鬱血性心不全または心室性頻拍（ＶＴ）を含む、請求項１０記載の装置。
【請求項１２】
前記医学的状態は、パーキンソン病、糖尿病性ニューロパシー、及びアルツハイマー病を含むグループから選択される医学的状態を含む、請求項１ないし１１のいずれか１項記載の装置。
【請求項１３】
心拍変動（ＨＲＶ）を測定するためのシステムにおいて、
前記システムは、
個人の心拍情報を受け取るためのデータ生成手段と、
前記複数のデータ点から、２つのサブセットのデータ点を識別するためのデータ分析手段と、
前記第１のサブセットのデータ点に基づいている第１の係数値を、前記第２のサブセットのデータ点に基づいている第２の係数値によって除算することによって、個人特有の心拍変動（ＨＲＶ）値を計算するためのプロセッサ手段と、
前記個人特有のＨＲＶ値を出力するための出力手段と
を具備し、
前記心拍情報は、データ収集機によって記録され、前記心拍情報は、前記個人に対応する一連の心拍間隔を表しており、前記データ生成手段は、第１の軸及び第２の軸を含む座標系を有する２次元表現の形態での前記心拍情報に基づいて、複数のデータポイントをさらに生成し、
前記２つのサブセットは、前記第１の軸の第１の軸間隔内の第１のサブセットのデータ点と、前記第２の軸の第２の軸間隔内の第２のサブセットのデータ点とを含む、システム。
【請求項１４】
前記出力手段は、前記個人特有のＨＲＶ値を表示するためのスクリーン、前記個人特有のＨＲＶ値を印刷するためのプリンタ、可聴音声を発生させるアラーム、及び、患者に対して注入を届けるための注入器を含むグループから選択される少なくとも１つの装置である、請求項１３記載のシステム。
【請求項１５】
前記個人特有のＨＲＶ値は、前記医学的状態に対応する少なくとも１つの予め規定された基準値に比較されるように構成されており、前記個人特有のＨＲＶ値と、前記基準値との間の関係は、前記医学的状態に罹患している前記個人のリスクを表す、請求項１３または１４記載のシステム。
【請求項１６】
前記個人特有のＨＲＶ値は、個人特有のｄｙ／ｄｘ表示値を含み、前記基準値は、基準ｄｙ／ｄｘ値を含む、請求項１５記載のシステム。
【請求項１７】
前記第１及び第２の係数のうちの１つの係数はｄｘ係数を含み、前記第１及び第２の係数のうちのもう１つの係数はｄｙ係数を含み、前記ｄｘ係数は、デカルト座標系のｘ軸に対応し、前記ｄｙ係数は、デカルト座標系のｙ軸に対応する、請求項１３ないし１６のいずれか１項記載のシステム。
【請求項１８】
前記ｄｘ係数は、前記第１の軸間隔内の第１の数の点に基づいており、前記第１の軸間隔は、前記ｘ軸に沿った、他の軸間隔に比して、最大数の点を有している前記ｘ軸に沿った間隔を含み、前記ｄｙ係数は、前記第２の軸間隔内の第２の数の点に基づいており、前記第２の軸間隔は、前記ｙ軸に沿った、他の軸間隔に比して、最大数の点を有している前記ｙ軸に沿った間隔を含む、請求項１７記載のシステム。
【請求項１９】
コンピューティングデバイスによって、個人に対応する心拍間隔情報に基づいて、前記個人に対応する個人特有の値のパラメータを処理することと、
前記個人特有の値は、第１の軸及び第２の軸を含む座標系上での前記心拍間隔情報の２次元表現に基づいた、第１及び第２の係数値の商に基づいており、
前記第１の係数値は、前記第１の軸の第１の軸間隔内の点に基づいており、前記第２の係数値は、前記第２の軸の第２の軸間隔内の点に基づいており、
前記個人特有の値は、少なくとも１つの医学的状態に対応した、少なくとも１つの予め規定された基準値に対して比較されるように構成されており、前記個人特有の値及び、前記基準値の間の関係は、前記医学的状態に罹患している前記個人の表示をもたらすためのものである、
コンピュータベースの方法。
【請求項２０】
前記パラメータは、ｄｙ／ｄｘパラメータを含み、前記個人特有の値は、個人特有のｄｙ／ｄｘ表示値を含み、前記基準値は、基準ｄｙ／ｄｘ値を含む、請求項１９記載の方法。
【請求項２１】
請求項１９または２０記載の方法を実行するための手段を具備する装置。
【手続補正書】
【提出日】平成26年8月5日(2014.8.5)
【手続補正１】
【補正対象書類名】特許請求の範囲
【補正対象項目名】全文
【補正方法】変更
【補正の内容】
【特許請求の範囲】
【請求項１】
治療薬を、眼を処置する治療デバイスへと注入するための装置であって、該治療デバイスは少なくとも部分的に眼に埋め込まれ、該装置が：
眼に埋め込まれた治療デバイスを貫通するように構成された置換型針であって：
該第１の管腔からの第１の開口を有する第１の管腔；および
該第１の管腔の少なくとも一部分を取り囲み、該第２の管腔への第２の開口を含む第２の管腔
を含み、ここで該第１の管腔は、該第１の管腔からの該第１の開口が該第２の管腔への該第２の開口より遠位に配置されるように、該第２の管腔よりも長い、前記置換型針；および
第２の管腔と流体連通するように構成されたチャンバ
を含む前記注入器を含み、
該第１の管腔を介する該治療デバイスへの治療剤の量の注入が、第２の管腔を介する該治療デバイスから該チャンバへの既に存在する流体の量を置き換える、前記装置。
【請求項２】
注入器が治療流体を、治療流体の量の、既に存在する流体の量との混合を妨げる流速で注入するように構成されている、請求項１に記載の装置。
【請求項３】
注入器が、流れに抵抗する構造体、規制部、多孔質構造体、焼結多孔質構造体および流速で剤を注入する機構の１つまたは２つ以上を含む、請求項２に記載の装置。
【請求項４】
埋め込み型治療デバイスが、治療薬を治療デバイスから放出するように構成された多孔質構造体を含み、該多孔質構造は流れ抵抗を有し、および流れに対して抵抗性である注入器構造が、該多孔質構造体の流れ抵抗に比例する流れ抵抗を含み、治療流体の部分が埋め込み型治療デバイスの多孔質構造体を通過するようになっている、請求項３に記載の装置。
【請求項５】
既に存在する流体の量が、治療デバイスに配置されている治療薬の残りの残存部分および眼の硝子体液の成分を含む、請求項１に記載の装置。
【請求項６】
第１の開口が第２の開口から離間し、治療流体の量の、既に存在する流体からの少なくとも部分的な分離を促進する、請求項１に記載の装置。
【請求項７】
第２のチャンバが、第２の管腔を通して受容した治療デバイスの既に存在する流体の量を受容する容器を含み、および該容器が該容器から置き換えられた空気を通過させるベントを含み、および該ベントは第２の開口から該ベントへ延出する流路を画定するように該第２の開口へと流体密閉状態で連結されており、および該流路が治療流体の量の、既に存在する流体からの少なくとも部分的な分離を促進するように流れ抵抗を含む、請求項６に記載の装置。
【請求項８】
流路が治療デバイスの既に存在する流体の量の流れを妨げる１つまたは２つ以上の構造体を含み、該１つまたは２つ以上の構造体が、第２の開口のサイズ、流路に沿った規制部および流路に沿った多孔質構造体の１つまたは２つ以上を含む、請求項７に記載の装置。
【請求項９】
注入器が複数の相互連結チャンネルを含む多孔質構造体をさらに含み、該複数の相互連結チャンネルが容器の下流部分において流路に沿って設置される、請求項７に記載の装置。
【請求項１０】
埋め込み型治療デバイスの流体が容器の下流部分の流路に沿って設置された注入器多孔質構造体に接触したとき、治療流体が埋め込み型治療デバイスの多孔質構造体にするように、注入器多孔質構造体が、埋め込み型治療デバイスの多孔質構造体よりも大きな液体流れ抵抗を有する、請求項９に記載の装置。
【請求項１１】
第２の管腔がベントに連結され、該ベントが、埋め込み型治療デバイスの流体がベントを通過するときに第１のチャンバに圧力をかけ、かつ治療流体の部分を多孔質構造体に通過させる流れ抵抗を含む、請求項１に記載の装置。
【請求項１２】
置換型針が、第１の軸に沿って延出する第１の管腔を有する第１の針および第１の軸と実質的に同心であるように第１の梁に沿って延出する第２の管腔を有する第２の針を有する二重管腔針を含む、請求項１に記載の装置。
【請求項１３】
第１の管腔と流体連通しているように構成され、かつ治療流体の量を保持するように構成された第１のチャンバ；および
該第１のチャンバ内を移動可能なピストン
をさらに含む、請求項１に記載の装置。
【請求項１４】
第１のチャンバ内のピストンの遠位移動が、大気圧よりも大きい第１のチャンバ内の内部圧力を作り出し、第１のチャンバからの治療流体の量を第１の内腔を介して治療デバイスへと進入させ、治療デバイスに進入する治療流体の量が第２の内腔を介し治療デバイスから第２のチャンバへ既に存在する流体の量を置き換える、請求項１３に記載の装置。
【手続補正書】
【提出日】平成26年4月16日(2014.4.16)
【手続補正１】
【補正対象書類名】特許請求の範囲
【補正対象項目名】全文
【補正方法】変更
【補正の内容】
【特許請求の範囲】
【請求項１】
熱成形可能な材料（２）のシートを成形することによって物体（３２）を成形するための成形装置であって、
前記材料（２）を作動温度まで加熱するための窯（６）を含む熱調整ステーション（５）と、前記熱調整ステーション（５）の下流側に位置付けられ、前記材料（２）の設定部（２３）を前記材料（２）の軟化温度付近の温度まで加熱する加熱手段（９）を含む加熱ステーション（８）とを備え、
前記加熱手段（９）が、前記加熱ステーション（８）内に、前記材料（２）の進行方向（Ｆ）に沿って位置付けられ、
前記熱調整ステーション（５）と前記加熱ステーション（８）との間に介在される前記材料（２）の部分（１１）が、前記窯（６）によって及び／又は前記加熱手段（９）によって発生される熱により加熱されるように、前記窯（６）および前記加熱手段（９）が、互いに近接して位置付けられ、
前記加熱手段（９）が、互いに対向するとともに前記材料（２）の両側に位置付けられる加熱可能なプレート（２２）の対（２４）と、少なくとも１つの更なる対（２５，２６，２７，２８，２９）と、を備え、
前記プレートが前記材料（２）と接触して該材料を加熱する作動位置と、前記材料（２）から所定の距離を隔てる非作動位置（ＮＷ）との間で、前記プレート（２２）が、前記進行方向（Ｆ）に対して略垂直な移動方向（Ｍ）に沿って、互いに近づき且つ離れることができ、
当該成形装置は、プレート（２２）の前記対（２４）とプレート（２２）の前記少なくとも１つの更なる対（２５，２６，２７，２８，２９）を、前記作動位置と前記非作動位置との間で互いに独立に駆動する制御手段を備えることを特徴とする成形装置。
【請求項２】
前記窯（６）および前記加熱手段（９）の両方を収容する加熱チャンバ（１２）を備える請求項１に記載の装置。
【請求項３】
前記加熱チャンバ（１２）が、断熱ケース（１３）によって境界付けられる請求項２に記載の装置。
【請求項４】
前記窯（６）を収容する第１の加熱チャンバ（１４）と、前記第１の加熱チャンバ（１４）に連通し、前記加熱手段（９）を収容する第２の加熱チャンバ（１５）とを備える請求項１に記載の装置。
【請求項５】
前記第１の加熱チャンバ（１４）および前記第２の加熱チャンバ（１５）が、断熱される第１のケース（１６）および第２のケース（１７）によってそれぞれ境界付けられる請求項４に記載の装置。
【請求項６】
前記材料（２）を前記進行方向（Ｆ）に沿って進行させる進行手段（４，７，２１）を備える請求項１に記載の装置。
【請求項７】
前記進行手段（４，７，２１）が、前記材料（２）を割り出し方式で進行させるように構成される請求項６に記載の装置。
【請求項８】
前記進行方向（Ｆ）が、略垂直である請求項１に記載の装置。
【請求項９】
前記加熱ステーション（８）が、前記材料（２）を前記加熱ステーション（８）内で緊張状態に維持するように前記材料（２）に作用する張力付与手段（２１）を含む請求項１〜８のいずれか一項に記載の装置。
【請求項１０】
前記進行方向（Ｆ）が、略水平である請求項５〜７のいずれか一項に記載の装置。
【請求項１１】
前記加熱手段（９）が前記材料（２）と対向する第１の位置と、前記加熱手段（９）が前記材料（２）に対して側方に位置付けられる第２の位置（ＮＸ）との間で、前記加熱手段（９）が、前記進行方向（Ｆ）および前記移動方向（Ｍ）に対して略垂直な更なる移動方向（Ｎ）に沿って移動できる、請求項１に記載の装置。
【手続補正書】
【提出日】平成26年5月20日(2014.5.20)
【手続補正１】
【補正対象書類名】特許請求の範囲
【補正対象項目名】全文
【補正方法】変更
【補正の内容】
【特許請求の範囲】
【請求項１】
透過性ないし半透過性のウェブを乾燥させる、薄肉のシェル形状をした多孔型の回転式ロールであって、
ａ）それぞれ内面を有する、互いに平行でかつ互いに離間した一対のエンド部材と、
ｂ）前記エンド部材の前記内面間において軸方向に延在し、かつ当該内方表面の円周に交互に一様に離間して配置されて長手方向の軸心を有する環状の円筒を形成する、複数の仕切り用の真直な薄肉の帯片および複数の屈曲した薄肉の帯片と、
を備え、
ｉ．前記屈曲した帯片は、隣接する前記仕切り用の帯片の長さに沿って、通過する空気を受け入れる径方向の流路を形成しており、これにより、当該薄肉のシェル形状をしたロールに多孔性を付与しており、
ｉｉ．前記円筒の有孔壁は、前記真直な帯片間に、屈曲した帯片を２層具備しており、
ｉｉｉ．前記２層の屈曲した帯片間に、軸方向の流路が、前記長手方向の軸心と同心で該軸心に沿って、一方のエンド部材から他方のエンド部材にかけて延びており、
当該多孔型の回転式ロールが、さらに、
ｃ）エンド部材に固定端縁を合わせた状態で前記環状の円筒の表面に対して周方向に配置されることによって当該薄肉のシェル形状をしたロールの有孔領域の幅を減少させる、少なくとも１つの不透過性の薄肉の帯体と、
ｄ）不透過性の帯体の自由端縁および／または当該自由端縁近傍に合わせられ、かつ、径方向の流路を通り、前記軸方向の流路の全体にわたって延び、さらに、少なくとも前記２層の屈曲した帯片の互いの表面の一部を介して延設されており、これにより、前記２層の屈曲した帯片間の前記軸方向の流路を完全にブロックし、空気が当該軸方向の流路を通過して前記エンド部材に到達するのを防ぐ、少なくとも１つの不透過性のインサートと、
を備える、多孔型の回転式ロール。
【請求項２】
請求項１に記載の多孔型の回転式ロールにおいて、さらに、
前記不透過性の帯体の前記自由端縁または当該自由端縁近傍に合わせられ、前記円筒のある円周回りの全ての径方向の流路に配された、少なくとも１つの不透過性のインサート、
を備える、多孔型の回転式ロール。
【請求項３】
請求項１に記載の多孔型の回転式ロールにおいて、不透過性の前記インサートが、前記２層の屈曲した帯片の互いに平行な表面に固着した鋼製プレートである、多孔型の回転式ロール。
【請求項４】
請求項１に記載の多孔型の回転式ロールにおいて、不透過性の前記インサートが、不透過性の帯体側の端縁および／または当該端縁近傍に合わせられ、波形材によって形成された径方向向きの流路に流し込まれて成型されたインサートである、多孔型の回転式ロール。
【請求項５】
請求項１に記載の多孔型の回転式ロールにおいて、各エンド部材が、第１の熱膨張係数を有する材料で構成されたものである、多孔型の回転式ロール。
【請求項６】
請求項５に記載の多孔型の回転式ロールにおいて、少なくとも２つの仕切り体が、前記第１の熱膨張係数よりも大きい第２の熱膨張係数を有する材料で構成されたものである、多孔型の回転式ロール。
【請求項７】
請求項５に記載の多孔型の回転式ロールにおいて、少なくとも２つの仕切り体が、前記第１の熱膨張係数よりも小さい第２の熱膨張係数を有する材料で構成されたものである、多孔型の回転式ロール。
【請求項８】
透過性および半透過性のウェブを乾燥させる、薄肉のシェル形状をした多孔型の回転式ロールを製造する方法であって、
ａ）それぞれ内面を有する、互いに平行でかつ互いに離間した一対のエンド部材を用意する工程と、
ｂ）複数の仕切り用の真直な薄肉の帯片および複数の屈曲した薄肉の帯片を、前記エンド部材の前記内面間において軸方向に延在するように当該内面の円周に交互に一様に離間して配置する工程であって、これにより、長手方向の軸心を有する環状の円筒を形成する工程と、
を含み、
ｉ．前記屈曲した帯片が、隣接する前記仕切り用の帯片の長さに沿って、通過する空気を受け入れる径方向の流路を形成することにより、前記薄肉のシェル形状をしたロールに多孔性を付与し、
ｉｉ．前記円筒の有孔壁を、前記真直な帯片間に、屈曲した帯片を２層具備するものとし、
ｉｉｉ．前記２層の屈曲した帯片間に、軸方向の流路が、前記長手方向の軸心と同心で該軸心に沿って、一方のエンド部材から他方のエンド部材にかけて延び、
当該多孔型の回転式ロールを製造する方法が、さらに、
ｃ）少なくとも１つの不透過性の薄肉の帯体を、エンド部材に固定端縁を合わせた状態で前記環状の円筒の表面に対して周方向に配置する工程であって、これにより、前記薄肉のシェル形状をしたロールの有孔領域の幅を減少させる工程と、
ｄ）少なくとも１つの不透過性のインサートを、不透過性の帯体の自由端縁および／または当該自由端縁近傍に合わせて、径方向の流路を通り、前記軸方向の流路の全体にわたって延び、さらに、少なくとも前記２層の屈曲した帯片の互いの表面の一部を介して延設されるように固着する工程であって、これにより、前記２層の屈曲した帯片間の前記軸方向の流路を完全にブロックし、空気が当該軸方向の流路を通過して前記エンド部材に到達するのを防ぐ工程と、
を含む、多孔型の回転式ロールの製造方法。
【請求項９】
請求項８に記載の多孔型の回転式ロールの製造方法において、さらに、
少なくとも１つの不透過性のインサートを、前記不透過性の帯体の前記自由端縁に、または当該自由端縁近傍に合わせて、前記円筒のある円周回りの全ての径方向の流路に固着する工程、
を含む、多孔型の回転式ロールの製造方法。
【請求項１０】
請求項８に記載の多孔型の回転式ロールの製造方法において、不透過性の前記インサートを、前記２層の屈曲した帯片の互いに平行な表面に固着した鋼製プレートとする、多孔型の回転式ロールの製造方法。
【請求項１１】
請求項８に記載の多孔型の回転式ロールの製造方法において、不透過性の前記インサートを、不透過性の帯体側の端縁および／または当該端縁近傍に合わせて、波形材によって形成された径方向向きの流路に流し込んで成型したインサートとする、多孔型の回転式ロールの製造方法。
【請求項１２】
請求項８に記載の多孔型の回転式ロールの製造方法において、各エンド部材を、第１の熱膨張係数を有する材料で構成されたものとする、多孔型の回転式ロールの製造方法。
【請求項１３】
請求項１２に記載の多孔型の回転式ロールの製造方法において、少なくとも２つの仕切り体を、前記第１の熱膨張係数よりも大きい第２の熱膨張係数を有する材料で構成されたものとする、多孔型の回転式ロールの製造方法。
【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
インクジェット記録フィルムであって、
透明支持体と、
ヒドロキシル基を含有する水溶性または水分散性架橋性ポリマ、ホウ酸塩、および任意に界面活性剤を含む下層と、
ヒドロキシル基を含有する水溶性または水分散性架橋性ポリマ、無機粒子、および任意に界面活性剤を含む、前記下層上に被覆された画像受容層と、を含み、
前記下層または画像受容層のうちの少なくとも１つが、前記下層内においては少なくとも０．５重量％、また前記画像受容層内においては少なくとも０．２重量％の量で界面活性剤を含む、インクジェット記録フィルム。
【請求項２】
前記下層ポリマがポリビニルアルコールを含み、前記ホウ酸塩が四ホウ酸ナトリウム十水和物を含み、前記界面活性剤がｐ−イソノニルフェノキシポリ（グリシドール）を含む、請求項１に記載のインクジェット記録フィルム。
【請求項３】
前記下層内の水溶性または水分散性架橋性ポリマが約０．０２ｇ／ｍ２〜約１．８ｇ／ｍ２の量で存在し、前記下層内の前記ホウ酸塩が約０．０２ｇ／ｍ２〜約２．０ｇ／ｍ２の量で存在し、前記界面活性剤が約０．００１ｇ／ｍ２〜約０．１０ｇ／ｍ２の量で存在する、請求項１に記載のインクジェット記録フィルム。
【請求項４】
前記画像受容層内のヒドロキシル基を含有する前記水溶性または水分散性架橋性ポリマが、ポリ（ビニルアルコール）、部分的に加水分解されたポリ（酢酸ビニル／ビニルアルコール）、ヒドロキシエチルメタクリレートを含有するコポリマ、ヒドロキシエチルアクリレートを含有するコポリマ、ヒドロキシプロピルメタクリレートを含有するコポリマ、ヒドロキシセルロースエーテル、またはこれらの混合物を含み、
前記無機粒子が、ヒュームドシリカ、ヒュームドアルミナ、コロイド状シリカ、もしくはベーマイトアルミナ、またはこれらの混合物を含み、
前記ホウ酸塩が、ホウ酸ナトリウム、四ホウ酸ナトリウム、四ホウ酸ナトリウム十水和物、ホウ酸、フェニルボロン酸、ブチルボロン酸、またはこれらの混合物を含み、
前記界面活性剤が、ｐ−イソノニルフェノキシポリ（グリシドール）、フルオロ脂肪族ポリアクリレートフルオロポリマ、ヒドロキシル基末端フッ素化ポリエーテル、またはこれらの混合物を含む、請求項１に記載のインクジェット記録フィルム。
【請求項５】
前記画像受容層がポリビニルアルコールを含み、前記無機粒子がベーマイトアルミナを含み、前記界面活性剤がｐ−イソノニルフェノキシポリ（グリシドール）を含む、請求項１に記載のインクジェット記録フィルム。
【請求項６】
前記画像受容層内のヒドロキシル基を含有する前記水溶性または水分散性架橋性ポリマがポリビニルアルコールを含み、前記無機粒子が少なくとも８８重量％を構成し、前記界面活性剤が少なくとも０．２０重量％を構成する、請求項１に記載のインクジェット記録フィルム。
【請求項７】
前記画像受容層内の水溶性または水分散性架橋性ポリマが約１．０ｇ／ｍ２〜約４．５ｇ／ｍ２の量で存在し、前記画像受容層内の前記無機粒子が約１７ｇ／ｍ２〜約４８ｇ／ｍ２の量で存在し、前記界面活性剤が約０．０４ｇ／ｍ２〜約１．５ｇ／ｍ２の量で存在する、請求項１に記載のインクジェット記録フィルム。
【請求項８】
前記下層内の前記界面活性剤が約０．５重量％〜約５．０重量％の量で存在し、前記画像受容層内の前記界面活性剤が約０．２重量％〜約３．０重量％の量で存在する、請求項１に記載のインクジェット記録フィルム。
【請求項９】
前記下層および画像受容層内の水溶性または水分散性ポリマが、ポリビニルアルコールであり、前記界面活性剤がｐ−イソノニルフェノキシポリ（グリシドール）であり、前記無機粒子がベーマイトアルミナであり、前記ホウ酸塩が四ホウ酸ナトリウム十水和物である、請求項１に記載のインクジェット記録フィルム。
【請求項１０】
前記界面活性剤が、前記画像受容層のみに少なくとも０．２重量％の量で存在する、請求項１に記載のインクジェット記録フィルム。